(57)【要約】【課題】輸液剤等の液体の流量を調整する際に、液体投与セットに設けられた流量調整器に装着することにより、調整した液体の流量を確認することができる流量表示体を提供すること【解決手段】流量表示体１Ａは、輸液セット（液体投与セット）５に設けられた流量調整器４に装着して用いるものであって、輸液剤（液体）の流量を示す目盛りが付された表示面２１を有する表示部２と、流量調整器４に装着するための係合部３とを備えている。表示部２は、平板状に形成されており、一方面に表示面２１を有するものである。係合部３は、表示部２の他方面に設けられている。【選択図】　図１
2004049318.tif 000002
【特許請求の範囲】
【請求項１】
液体投与セットに設けられた流量調整器に装着して用いる流量表示体であって、
前記液体の流量を示す目盛りが付された表示面を有する表示部と、
前記流量調整器に装着するための係合部とを備えていることを特徴とする流量表示体。
【請求項２】
前記表示部は、平板状に形成されており、一方面に前記表示面を有するものである請求項１に記載の流量表示体。
【請求項３】
前記表示部は、複数の平板が長手軸を中心として放射状に配置されるように形成されており、前記平板の一方面に前記表示部を有するものである請求項１または２に記載の流量表示体。
【請求項４】
前記係合部は、前記表示部の他方面に設けられている請求項２または３に記載の流量表示体。
【請求項５】
前記表示部の表示面には、前記液体の容量と、前記容量の液体を投与するための所要時間を示す目盛りが付されている請求項１ないし４のいずれかに記載の流量表示体。
【請求項６】
前記表示部の表示面には、前記液体の種類と、前記液体の単位時間当たりの流量を示す目盛りが付されている請求項１ないし５のいずれかに記載の流量表示体。
【発明の詳細な説明】
【０００１】
【発明の属する技術分野】
本発明は、液体投与セットに設けられた流量調整器に装着して用いる流量表示体に関するものである。
【０００２】
【従来の技術】
患者に輸液剤を投与する際には、輸液セットのチューブ内を流れる輸液剤の流量を調整する必要があるため、輸液セットのチューブの途中にはローラクレンメ等の流量調整器が取り付けられている。看護婦等の医療従事者は、医師の指示に基づいて、流量調整器を操作して、患者に投与される輸液剤の流量を調整している。
このような流量調整操作は、輸液セットの流量調整器の上流に設けられた点滴筒の１分間当たり滴下数を確認することにより行われている。
【０００３】
ところが、医師の指示は、１分間当たりの流量には限らず、例えば、１時間当たりの流量であったり、５００ｍＬの輸液剤を６時間で投与するという指示があったり、その医師によってまちまちである。
また、点滴筒には、１ｍＬに相当する滴下数が異なるものもある。通常、１ｍＬに相当する滴下数が１５滴、６０滴の２種類が使用されている。
このため、流量調整操作を行う際には、医師から指示された流量を点滴筒の１分間当たり滴下数に換算する必要がある。輸液剤の種類によっては、換算ミスが患者の様態を大きく変化させることがあり得るため、流量調整操作は医療従事者にとって精神的な負担がかかる作業となっている。
【０００４】
このような問題を解決しようとするものとして、流量調整器に目盛りが付されているものがあるが、複数の種類の目盛りを付けると間違えが起こり易いため、目盛りは１種類になっている。
しかしながら、上述したように医師の指示は様々であり、また、輸液剤によっては粘度の違いにより１分間当たりの流量が異なるものもあるので、医療従事者の負担を十分に軽減できるものではなかった。
【０００５】
【発明が解決しようとする課題】
本発明の目的は、輸液剤等の液体の流量を調整する際に、液体投与セットに設けられた流量調整器に装着することにより、調整した液体の流量を確認することができる流量表示体を提供することである。
【０００６】
【課題を解決するための手段】
このような目的は、以下に記載の本発明により達成される。
【０００７】
（１）　液体投与セットに設けられた流量調整器に装着して用いる流量表示体であって、前記液体の流量を示す目盛りが付された表示面を有する表示部と、前記流量調整器に装着するための係合部とを備えていることを特徴とする流量表示体。
【０００８】
（２）　前記表示部は、平板状に形成されており、一方面に前記表示面を有するものである上記（１）に記載の流量表示体。
【０００９】
（３）　前記表示部は、複数の平板が長手軸を中心として放射状に配置されるように形成されており、前記平板の一方面に前記表示部を有するものである上記（１）または（２）に記載の流量表示体。
【００１０】
（４）　前記係合部は、前記表示部の他方面に設けられている上記（２）または（３）に記載の流量表示体。
【００１１】
（５）　前記表示部の表示面には、前記液体の容量と、前記容量の液体を投与するための所要時間を示す目盛りが付されている上記（１）ないし（４）のいずれかに記載の流量表示体。
【００１２】
（６）　前記表示部の表示面には、前記液体の種類と、前記液体の単位時間当たりの流量を示す目盛りが付されている上記（１）ないし（５）のいずれかに記載の流量表示体。
【００１３】
【発明の実施の形態】
以下、本発明の好適な実施の形態について、添付図面に基づいて説明するが、本発明は、これらの図面に限定されるものではない。
本発明の実施の形態は、例えば、輸液剤、血液、血液成分、栄養剤等の液体を投与するための液体投与セットに設けられた流量調整器に装着して用いる流量表示体である。
なお、輸液剤を投与（輸液）するための液体投与セット、すなわち、輸液セットに設けられた流量調整器に装着する流量表示体を代表例として説明する。
【００１４】
最初に、第１の実施形態に係わる流量表示体１Ａについて、図１〜４を用いて詳細に説明する。
図１は、第１の実施形態に係わる流量表示体の斜視図であり、図２は、第１の実施形態に係わる流量表示体を輸液セットに設けられた流量調整器に装着した状態を示す正面図であり、図３は、図２におけるＸ−Ｘ線における横断面図である。
また、図４は、輸液セットに設けられた流量調整器の正面図であり、図５は、表示部の他の実施様態を示す外観図である。
【００１５】
第１の実施形態に係わる流量表示体１Ａは、輸液セット（液体投与セット）５に設けられた流量調整器４に装着して用いるものであって、輸液剤（液体）の流量を示す目盛りが付された表示面２１を有する表示部２と、流量調整器４に装着するための係合部３とを備えている。
表示部２は、平板状に形成されており、一方面に表示面２１を有するものである。係合部３は、表示部２の他方面に設けられている。
【００１６】
表示部２の表示面２１は、図２に示したように、輸液剤（液体）の容量（５００ｍＬ）と、この容量の輸液剤を投与するための所要時間を示す目盛りが付されている。これにより、５００ｍＬの輸液剤を何時間かけて投与するかは、容易に調整することができる。
【００１７】
ここで、表示面２１に付される目盛りは、図２に示すものに限らず、輸液剤（液体）の流量を示す目盛りであれば、どのような目盛りが付されていてもよい。例えば、図５に示された表示部２は、輸液剤（液体）の種類（高カロリー）と、この輸液剤（液体）の単位時間当たりの流量を示す目盛りが付されている。これにより、高粘度の輸液剤を投与する際には、その輸液剤の流動性に適した流量を正確に調整することができる。
【００１８】
係合部３は、図１に示すように、表示面２１の裏面（背面）における長手軸の上端付近に配置され、表示部２と一体的に形成されている。
そして、係合部３は、表示部２と共同して流量調整器４の支持体４１を挟み込むようにして、流量表示体１Ａを流量調整器４に係合するように構成されている。
具体的には、係合部３は、二股に分かれた爪部３１と、爪部３１を表示部２に固定する固定部３２とから構成され、流量表示体１Ａの長手軸に向かってＬ字状に形成されている。
【００１９】
固定部３２は、表示部２から爪部３１を流量調整器４の支持体４１における拡張部４１１の厚み分だけ離間して、爪部３１を固定している。
爪部３１は、二股に分かれた形状をなすことにより、流量調整器４の支持体４１における収容部４１２の一部を挟み込むように構成されている。
【００２０】
流量調整器４は、輸液セット５の上流ライン５１と下流ライン５２との間に位置するように設けられている。この上流ライン５１および下流ライン５２は、可撓性チューブにより形成されており、流量調整器４に液密に接続されている。
上流ライン５１の上流端は、輸液バッグに接続するためのビン針（図示せず）に接続されており、下流端は、流量調整器４のコネクタに接続されている。また、上流ライン５１の途中には、点滴筒（図示せず）等が設けられている。
下流ライン５２の上流端は、流量調整器４のコネクタに接続されており、下流端は、患者の静脈に輸液剤を投与するための注射針（図示せず）に接続されている。
【００２１】
流量調整器４は、上流ライン５１（チューブ）を収容する支持体４１と、支持体４１の長手方向に移動可能に係合された作動部材４２と、上流ライン５１と下流ライン５２とを接続するコネクタ４３とを備えている。
支持体４１は、輸液剤（液体）の流量を示す目盛りが付された拡張部４１１と、チューブ（上流ライン５１）を保持する収容部４１２とからなり、拡張部４１１と収容部４１２とによって作動部材４２を係合するように構成されている。
拡張部４１１に付された目盛りは、図示したような１時間当たりの流量が付されている。
そして、作動部材４２の中心部を目盛りに合わせると、その流量で患者に輸液剤を投与できるように構成されている。
【００２２】
コネクタ４３は、上流ライン５１を接続するための第１の接続部（図示せず）と、下流ライン５２を接続するための第２の接続部（図示せず）と、支持体４１の長手方向に延びる流路制御部材（図示せず）とを有する。
流路制御部材は、硬質材料からなり、チューブ（上流ライン５１）内に配置されている。流路制御部材の一面側には、長手方向に沿って横断面積は除々に大きくなる制御溝が形成されおり、他面側はチューブの内面に密着するように凸状に形成されている。
そして、流量調整器４は、作動部材４２によって、チューブの外部から流路制御部材の一面側を押圧すると、チューブの内面が流量制御部材の制御溝を除く部分に密着することにより、輸液剤の流量を調整するように構成されている。
【００２３】
この実施様態に係る流量表示体１Ａでは、流量調整器４に装着することにより、流量調整器４の支持体４１に付された目盛りが隠れて、流量表示体１Ａの表示部２に付された目盛りが表示されるようになっている。このように、２種類の目盛りが表示されることがないので、流量を調整する際に、混同することなく、流量調整器４の作動部材４２の位置を流量表示体１Ａの表示部２に付された目盛りに調整することができる。
【００２４】
第１の実施形態に係る流量表示体１Ａの構成材料としては、流量調整器４に装着する際に適度に変形するものが好ましく、例えば、ポリカーボネート、ポリプロピレン、ポリエチレン、ＡＢＳ樹脂等の高分子材料が挙げられる。
【００２５】
次に、第１の実施形態に係わる流量表示体１Ａの作用について説明する。
［１］　輸液バッグを患者の腕よりも高い位置に設置して、輸液セット５のビン針を輸液バッグに接続する。この際、流量調整器４は、輸液剤の流量がゼロ、ずなわち、停止（ストップ）に調整されている。
【００２６】
［２］　上記［１］の状態で、最初にプライミング操作を行う。流量調節器４を輸液剤の流量が最大になるように調整して、輸液バッグに収容された輸液剤を輸液セット５の上流ライン５１、流量調整器４、輸液セット５の下流ライン５２を経て、輸液セット５の注射針まで流して、輸液セットが輸液剤で満たされた状態にする。
この状態で、再び、流量調整器４により輸液剤の流れを停止して、プライミング操作を終了する。
【００２７】
［３］　上記［１］または［２］の状態で、医師の指示に基づいて輸液剤の流量を調整するのに適した目盛りが付された流量表示体１Ａを流量調整器４に装着する。なお、上記［１］および［２］のいずれの状態であっても、流量調整器４により輸液剤の流れは停止されている。
【００２８】
［４］　上記［３］の状態で、上記［２］のプライミング操作を行っていないときには、上記［２］のプライミング操作を行う。そして、患者の静脈に輸液セット５の注射針を穿刺して、輸液剤の投与を開始するとともに、流量調整器４の作動部材４２を流量表示体１Ａの目盛りに合わせて移動して、医師の指示に基づく、輸液剤の流量に調整する。続いて、点滴筒の１分間当たり滴下数が、医師の指示に基づく流量から換算した滴下数であるかを確認する。
そして、点滴筒の滴下数が換算した滴下数と異なるときには、再度、流量調整器４の作動部材４２を移動して、輸液剤の流量を微調整する。この際に、点滴筒の滴下数が換算した滴下数に対して大幅に異なる場合には、換算ミスである可能性があるため、一旦、輸液剤の流れを停止する。また、この場合には、輸液剤の流量を点滴筒の１分間当たり滴下数に換算し直してから、［４］の操作をやり直す。
【００２９】
以上のように、第１の実施形態に係わる流量表示体１Ａによれば、輸液セット５に設けられた流量調整器４に付された目盛りが、医師の指示とは異なる基準の流量であるときに、流量調整器４に装着することにより、調整した輸液剤の流量が適切であることを確認することができる。これにより、医療従事者の精神的な負担を軽減することができる。また、換算ミスがあった場合には、直ちに換算ミスに気づき、輸液剤の投与を中断することができるため、安全な輸液剤の投与を行うことができる。
【００３０】
次に、第２の実施形態に係わる流量表示体１Ｂについて、図６を用いて説明する。なお、上述した第１の実施形態に係わる流量表示体１Ａと、異なる構成を中心に説明する。
【００３１】
図６は、第２の実施形態に係わる流量表示体の斜視図である。
第２の実施形態に係わる流量表示体１Ｂは、輸液セット（液体投与セット）５に設けられた流量調整器４に装着して用いるものであって、輸液剤（液体）の流量を示す目盛りが付された表示面２１を有する表示部２と、流量調整器４に装着するための係合部３とを備えている。
表示部２は、複数の平板が長手軸を中心として放射状に配置されるように形成されており、平板の一方面に表示部２を有するものである。係合部３は、各々の表示部２の他方面に設けられている。
【００３２】
具体的には、流量表示体１Ｂの長手軸を中心として、放射方向に４つの表示部２が歯車状に配置されている。各々の表示部２における表示面２１の裏側（背面）には、係合部３が設けられている。
４つの表示面２１には、各々異なる輸液剤（液体）の流量を示す目盛りが付されている。
【００３３】
例えば、４つの表示面２１には、２５０ｍＬ、５００ｍＬ、１０００ｍＬ、１５００ｍＬの輸液剤（液体）の容量と、各々に対応する輸液剤を投与するための所要時間を示す目盛りが付されている。
また、図５に示したような、例えば、高カロリー、維持液、各種治療薬等の輸液剤（液体）の種類と、この輸液剤（液体）の単位時間当たりの流量を示す目盛り、例えば、１ｍＬに相当する１５滴、６０滴等の輸液セット５に設けられた点滴筒の滴下数と、その滴下数に応じた滴数を示す目盛りであってもよく。また、これらの目盛りを組み合わせたものであってもよい。
【００３４】
流量表示体１Ｂは、表示部２と係合部３が一体的に形成されている。図６に示すように、４つの係合部３は、各々の表示面２１の裏面（背面）における長手軸の上端付近に配置されている。
係合部３は、表示部２と共同して流量調整器４の支持体４１を挟み込むようにして、流量表示体１Ａを流量調整器４に係合するように構成されている。
具体的には、係合部３は、二股に分かれた爪部３１と、爪部３１を表示部２に固定する固定部３２とから構成されており、上述した第１の実施形態に係わる流量表示体１Ａにおける係合部３と同様な形状であり、同様な機能を有するものである。
【００３５】
第２の実施形態に係る流量表示体１Ｂの構成材料としては、上述した第１の実施形態に係わる流量表示体１Ａと同様な構成材料を用いることができる。
また、第２の実施形態に係わる流量表示体１Ｂの作用は、第１の実施形態に係わる流量表示体１Ａの作用と同様であるので、説明を省略する。
【００３６】
以上のように、第２の実施形態に係わる流量表示体１Ｂによれば、輸液セット５に設けられた流量調整器４に付された目盛りが、医師の指示とは異なる基準の流量であるときに、流量調整器４に装着することにより、調整した輸液剤の流量が適切であることを確認することができる。これにより、医療従事者の精神的な負担を軽減することができる。また、換算ミスがあった場合には、直ちに換算ミスに気づき、輸液剤の投与を中断することができるため、安全な輸液剤の投与を行うことができる。
また、第２の実施形態に係わる流量表示体１Ｂにおいては、複数の表示部２を有するものであるので、１つの流量表示体で様々な基準の流量が適切であることを確認することが可能である。このため、医療従事者が携帯し、病室に持ち歩いて使用する場合にも便利である。
【００３７】
次に、第３の実施形態に係わる流量表示体１Ｃについて、図７および図８を用いて説明する。なお、上述した第１の実施形態に係わる流量表示体１Ａと、異なる構成を中心に説明する。
【００３８】
図７は、第３の実施形態に係わる流量表示体の正面図であり、図８は、第３の実施形態に係わる流量表示体を輸液セットに設けられた流量調整器に装着した状態を示す正面図である。また、図９は、表示部の他の実施様態を示す外観図である。
第３の実施形態に係わる流量表示体１Ｃは、輸液セット（液体投与セット）５に設けられた流量調整器４に装着して用いるものであって、輸液剤（液体）の流量を示す目盛りが付された表示面２１を有する表示部２と、流量調整器４に装着するための係合部３とを備えている。
表示部２は、平板状に形成されており、一方面に表示面２１を有するものである。係合部３は、表示部２の他方面に設けられている。
【００３９】
具体的には、流量表示体１Ｃは、２つの表示部２と、２つの表示部２の背面をつなぐようにＵ字状に設けられた係合部３を備えている。
表示部２の表示面２１には、図７に示したように、輸液剤（液体）の容量（５００ｍＬ）と、この容量の輸液剤を投与するための所要時間を示す目盛りが付されている。これに限らず、上述したような輸液剤（液体）の流量を示す目盛りであれば、どのような目盛りであってもよい。
【００４０】
図示した実施様態では、片方の表示部２のみに輸液剤（液体）の流量を示す目盛りが付されているが、両方の表示部２に輸液剤（液体）の流量を示す目盛りが付されていてもよい。
ここで、複数の異なる基準の目盛りが同時に必要なときには、図９に示すような流量表示体１ａを用いてもよい。流量表示体１ａは、上述した第１の実施形態に係わる流量表示体１Ａにおける表示部２の面積を拡張するとともに、表示部２の構成材料を透明なものとしたものである。また、単に、表示部２の面積を拡張して目盛りを２列以上に併記した流量表示体であってもよい。
【００４１】
係合部３は、流量調整器４の支持体４１の形状に合わせた凹凸を有する凹凸部３３を有する。
流量表示体１Ｃは、２つの表示部２と係合部３が一体的に形成されている。図８に示すように、係合部３は、表示部２と共同して流量調整器４の支持体４１を挟み込むようにして、流量表示体１Ｃを流量調整器４に係合するように構成されている。
具体的には、表示面２は、流量調整器４における支持体４１の側部に位置し、係合部３は、流量調整器４における支持体４１の背面の凹凸に凹凸部３３が係合するように構成されている。
【００４２】
第３の実施形態に係る流量表示体１Ｃの構成材料としては、上述した第１の実施形態に係わる流量表示体１Ａと同様な構成材料を用いることができる。
また、第３の実施形態に係わる流量表示体１Ｃの作用は、第１の実施形態に係わる流量表示体１Ａの作用と同様であるので、説明を省略する。
【００４３】
以上のように、第３の実施形態に係わる流量表示体１Ｃによれば、輸液セット５に設けられた流量調整器４に付された目盛りが、医師の指示とは異なる基準の流量であるときに、流量調整器４に装着することにより、調整した輸液剤の流量が適切であることを確認することができる。これにより、医療従事者の精神的な負担を軽減することができる。また、換算ミスがあった場合には、直ちに換算ミスに気づき、輸液剤の投与を中断することができるため、安全な輸液剤の投与を行うことができる。
また、第３の実施形態に係わる流量表示体１Ｃにおいては、係合部３がＵ字状に形成されているので、係合部３が適度な大きさとなるとともに、流量調整器４における支持体４１の背面から流量調整器４に装着するので、簡単に流量表示体１Ｃを流量調整器４に装着することができる。
【００４４】
次に、第４の実施形態に係わる流量表示体１Ｄについて、図１０を用いて説明する。なお、上述した第１の実施形態に係わる流量表示体１Ａと、異なる構成を中心に説明する。
【００４５】
図１０は、第４の実施形態に係わる流量表示体の正面図である。
第４の実施形態に係わる流量表示体１Ｄは、輸液セット（液体投与セット）５に設けられた流量調整器４に装着して用いるものであって、輸液剤（液体）の流量を示す目盛りが付された表示面２１を有する表示部２と、流量調整器４に装着するための係合部３とを備えている。
表示部２は、平板状に形成されており、一方面に表示面２１を有するものである。係合部３は、表示部２の他方面に設けられている。
【００４６】
具体的には、流量表示体１Ｄは、１つの表示部２と、表示部２の背面に流量表示体１Ｄの横軸（短軸）に向かってＬ字状に形成された係合部３を備えている。換言すれば、流量表示体１Ｄは、第３の実施形態に係わる流量表示体１Ｃを縦割りにしたような形状をなしている。
表示部２の表示面２１には、図９に示したように、輸液剤（液体）の容量（５００ｍＬ）と、この容量の輸液剤を投与するための所要時間を示す目盛りが付されている。これに限らず、上述したような輸液剤（液体）の流量を示す目盛りであれば、どのような目盛りであってもよい。
【００４７】
係合部３は、表示部２と一体的に形成されており、表示面３１の裏面（背面）における長手軸長の２／３を占める長さを有する。
そして、係合部３は、表示部２と共同して流量調整器４の支持体４１を挟み込むようにして、流量表示体１Ｃを流量調整器４に係合するように構成されている。
具体的には、係合部３は、流量調整器４の支持体４１の形状に合わせた凹凸を有する凹凸部３３と、凹凸部３３を表示部２に固定する固定部（図示せず）とから構成されている。
【００４８】
固定部は、表示部２から凹凸部３３を流量調整器４の支持体４１における拡張部４１１の厚み分だけ離間して、凹凸部３３を固定している。
係合部３における凹凸部３３は、流量調整器４における支持体４１の背面部の凹凸に係合するように構成されている。
【００４９】
第４の実施形態に係る流量表示体１Ｄの構成材料としては、上述した第１の実施形態に係わる流量表示体１Ａと同様な構成材料を用いることができる。
また、第４の実施形態に係わる流量表示体１Ｄの作用は、第１の実施形態に係わる流量表示体１Ａの作用と同様であるので、説明を省略する。
【００５０】
以上のように、第４の実施形態に係わる流量表示体１Ｄによれば、輸液セット５に設けられた流量調整器４に付された目盛りが、医師の指示とは異なる基準の流量であるときに、流量調整器４に装着することにより、調整した輸液剤の流量が適切であることを確認することができる。これにより、医療従事者の精神的な負担を軽減することができる。また、換算ミスがあった場合には、直ちに換算ミスに気づき、輸液剤の投与を中断することができるため、安全な輸液剤の投与を行うことができる。
また、第４の実施形態に係わる流量表示体１Ｄにおいては、流量調整器４における支持体４１の側面から流量調整器４に装着するので、簡単に流量表示体１Ｄを流量調整器４に装着することができる。
【００５１】
【発明の効果】
本発明の流量調整器によれば、液体投与セットに設けられた流量調整器に付された目盛りが、医師の指示とは異なる基準の流量であるときに、流量調整器に装着することにより、調整した液体の流量が適切であることを確認することができる。これにより、医療従事者の精神的な負担を軽減することができる。また、換算ミスがあった場合には、直ちに換算ミスに気づき、液体の投与を中断することができるため、患者に対しても安全である。
【図面の簡単な説明】
【図１】図１は、第１の実施形態に係わる流量表示体の斜視図である。
【図２】図２は、第１の実施形態に係わる流量表示体を輸液セットに設けられた流量調整器に装着した状態を示す正面図である。
【図３】図３は、図２におけるＸ−Ｘ線における横断面図である。
【図４】図４は、輸液セットに設けられた流量調整器の正面図である。
【図５】図５は、表示部の別の実施様態を示す外観図である。
【図６】図６は、第２の実施形態に係わる流量表示体の斜視図である。
【図７】図７は、第３の実施形態に係わる流量表示体の正面図である。
【図８】図８は、第３の実施形態に係わる流量表示体を輸液セットに設けられた流量調整器に装着した状態を示す正面図である。
【図９】図９は、表示部の他の実施様態を示す外観図である。
【図１０】図１０は、第４の実施形態に係わる流量表示体の正面図である。
【符号の説明】
１Ａ，１Ｂ，１Ｃ，１Ｄ　流量表示体
２　　表示部
２１　表示面
３　　係合部
３１　爪部
３２　固定部
３３　凹凸部
４　　流量調整器
４１　支持体
４１１　拡張部
４１２　収容部
４２　作動部材
４３　コネクタ
５　　輸液セット
５１　上流ライン
５２　下流ライン
【図１】
2004049318.tif 000003
【図２】
2004049318.tif 000004
【図３】
2004049318.tif 000005
【図４】
2004049318.tif 000006
【図５】
2004049318.tif 000007
【図６】
2004049318.tif 000008
【図７】
2004049318.tif 000009
【図８】
2004049318.tif 000010
【図９】
2004049318.tif 000011
【図１０】
2004049318.tif 000012